(57)【要約】本開示の態様は、チャネル状態情報（ＣＳＩ）フィードバックのための基準信号（ＲＳ）を、ネットワークＭＩＭＯ（複数入力／複数出力）とも称される（例えば、統合処理／送信（ＪＰ／Ｔ）協調マルチポイント（ＣｏＭＰ）のための）クラスタに属するすべてのセルからユーザ機器（ＵＥ）へ、同じ時間リソースおよび周波数リソースで送信するための方法および装置を提供する。このように、データは、ＣＳＩフィードバック・スキームと干渉することを回避される。したがって、チャネル（単数または複数）を確実に推定するためにデータを決定する必要はない。
2013516115.tif 000002
【特許請求の範囲】
【請求項１】
無線通信のための方法であって、
基準信号を送信するために、複数のセルのクラスタにおける複数のセルによって使用される１または複数の共通の時間−周波数リソースを、前記クラスタにおける１つのセルによって決定することと、ここで、前記クラスタにおける複数のセルは、複数のユーザ機器（ＵＥ）デバイスのセットへデータを送信するために協調する、
前記複数の共通の時間−周波数リソースにおいて、前記１つのセルから、前記基準信号を送信することと、
を備える方法。
【請求項２】
前記複数の時間−周波数リソースは、前記クラスタを識別するクラスタ識別子（ＩＤ）にしたがって決定される、請求項１に記載の方法。
【請求項３】
前記決定された複数の時間−周波数リソースにおいて、前記１つのセルから送信された前記基準信号のシンボルは、前記クラスタにおける別のセルから同じ時間−周波数リソースにおいて送信された別の基準信号のシンボルと同じである、請求項１に記載の方法。
【請求項４】
前記基準信号を送信する前に、前記基準信号に、セル特有のスクランブリング符号を適用すること、をさらに備える請求項１に記載の方法。
【請求項５】
前記複数の時間−周波数リソースを決定することは、
前記クラスタにおける複数のセルのための時間−周波数リソースを、前記クラスタにおける１つのセルによって選択することと、ここで、前記セルは、前記クラスタの複数の時間−周波数リソースを管理するスケジューラを備える、
前記スケジューラを用いて、前記クラスタにおける、前記１つのセルとは別の複数のセルへ、前記時間−周波数リソースを示すインジケーションを送信することと、
をさらに備える請求項１に記載の方法。
【請求項６】
前記複数の時間−周波数リソースを決定することは、前記クラスタの複数の時間−周波数リソースを管理するためのスケジューラを有する、前記クラスタにおける別のセルから、前記複数の時間−周波数リソースを示すインジケーションを受信すること、を備える請求項１に記載の方法。
【請求項７】
前記基準信号に基づいて、前記複数のＵＥデバイスのうちの１つから、チャネル状態情報（ＣＳＩ）を受信すること、をさらに備える請求項１に記載の方法。
【請求項８】
無線通信のための装置であって、
基準信号を送信するために、複数の装置のクラスタにおける複数の装置によって使用される１または複数の共通の時間−周波数リソースを、前記１つの装置によって決定し、ように構成された処理システムと、ここで、前記クラスタにおける複数の装置は、複数のユーザ機器（ＵＥ）デバイスのセットへデータを送信するために協調する、
前記複数の共通の時間−周波数リソースにおいて前記基準信号を送信するように構成された送信機と、
を備える装置。
【請求項９】
前記複数の時間−周波数リソースは、前記クラスタを識別するクラスタ識別子（ＩＤ）にしたがって決定される、請求項８に記載の装置。
【請求項１０】
前記複数の時間−周波数リソースにおいて、前記１つの装置から送信された前記基準信号のシンボルは、前記クラスタにおける別の装置から同じ時間−周波数リソースにおいて送信された別の基準信号のシンボルと同じである、請求項８に記載の装置。
【請求項１１】
前記処理システムは、前記基準信号を送信する前に、前記基準信号に、装置特有のスクランブリング符号を適用するように構成された、請求項８に記載の装置。
【請求項１２】
前記処理システムは、前記クラスタの複数の時間−周波数リソースを管理するスケジューラを備え、
前記処理システムは、前記スケジューラを用いて、前記クラスタにおける複数の装置のための複数の時間−周波数リソースを選択することによって、前記複数の時間−周波数リソースを決定するように構成され、
前記送信機は、前記スケジューラを用いて、前記クラスタにおける、前記１つの装置とは別の複数の装置へ、前記複数の時間−周波数リソースを示すインジケーションを送信するように構成された、請求項８に記載の装置。
【請求項１３】
前記処理システムは、前記クラスタの複数の時間−周波数リソースを管理するスケジューラを有する、前記クラスタにおける別の装置から、前記複数の時間−周波数リソースを示すインジケーションを受信することによって、前記複数の時間−周波数リソースを決定するように構成された、請求項８に記載の装置。
【請求項１４】
前記基準信号に基づいて、前記複数のＵＥデバイスのうちの１つから、チャネル状態情報（ＣＳＩ）を受信するように構成された受信機をさらに備える、請求項８に記載の装置。
【請求項１５】
無線通信のための装置であって、
基準信号を送信するために、複数の装置のクラスタにおける複数の装置によって使用される１または複数の共通の時間−周波数リソースを、前記１つの装置によって決定する手段と、ここで、前記クラスタにおける複数の装置は、複数のユーザ機器（ＵＥ）デバイスのセットへデータを送信するために協調する、
前記複数の共通の時間−周波数リソースにおいて前記基準信号を送信する手段と、
を備える装置。
【請求項１６】
前記複数の時間−周波数リソースは、前記クラスタを識別するクラスタ識別子（ＩＤ）にしたがって決定される、請求項１５に記載の装置。
【請求項１７】
前記決定された複数の時間−周波数リソースにおいて、前記１つの装置から送信された前記基準信号のシンボルは、前記クラスタにおける別の装置から同じ時間−周波数リソースにおいて送信された別の基準信号のシンボルと同じである、請求項１５に記載の装置。
【請求項１８】
前記基準信号を送信する前に、前記基準信号に、装置特有のスクランブリング符号を適用する手段、をさらに備える請求項１５に記載の装置。
【請求項１９】
前記複数の時間−周波数リソースを決定する手段は、前記クラスタの時間−周波数リソースをスケジュールする手段を備え、
前記複数の時間−周波数リソースを決定する手段は、前記スケジュールする手段を用いて、前記クラスタにおける複数の装置のための前記複数の時間−周波数リソースを選択するように構成され、
前記送信する手段は、前記スケジュールする手段を用いて、前記クラスタにおける、前記１つの装置とは別の複数の装置へ、前記複数の時間−周波数リソースを示すインジケーションを送信するように構成された、請求項１５に記載の装置。
【請求項２０】
前記クラスタの複数の時間−周波数リソースをスケジュールする手段を有する、前記クラスタにおける別のセルから、前記複数の時間−周波数リソースを示すインジケーションを受信する手段をさらに備え、
前記複数の時間−周波数リソースを決定する手段は、前記受信された複数の時間−周波数リソースを示すインジケーションを用いるように構成された、請求項１５に記載の装置。
【請求項２１】
前記基準信号に基づいて、前記複数のＵＥデバイスのうちの１つから、チャネル状態情報（ＣＳＩ）を受信する手段をさらに備える、請求項１５に記載の装置。
【請求項２２】
無線通信のためのコンピュータ・プログラム製品であって、
基準信号を送信するために、複数のセルのクラスタにおける複数のセルによって使用される１または複数の共通の時間−周波数リソースを、前記１つのセルによって決定し、ここで、前記クラスタにおける複数のセルは、複数のユーザ機器（ＵＥ）デバイスのセットへデータを送信するために協調する、
前記複数の時間−周波数リソースにおいて、１つのセルから、前記基準信号を送信する、
ようにプロセッサによって実行可能な命令群を有するコンピュータ読取可能な媒体を備える、コンピュータ・プログラム製品。
【請求項２３】
前記複数の時間−周波数リソースは、前記クラスタを識別するクラスタ識別子（ＩＤ）にしたがって決定される、請求項２２に記載のコンピュータ・プログラム製品。
【請求項２４】
前記決定された複数の時間−周波数リソースにおいて、前記１つのセルから送信された前記基準信号のシンボルは、前記クラスタにおける別のセルから同じ時間−周波数リソースにおいて送信された別の基準信号のシンボルと同じである、請求項２２に記載のコンピュータ・プログラム製品。
【請求項２５】
前記基準信号を送信する前に、前記基準信号に、セル特有のスクランブリング符号を適用するように前記プロセッサによって実行可能な命令群をさらに備える、請求項２２に記載のコンピュータ・プログラム製品。
【請求項２６】
無線通信のための方法であって、
１または複数の共通の時間−周波数リソースにおいて、複数のセルのクラスタにおける複数のセルのおのおのから送信された基準信号を、１つのＵＥにおいて受信することと、ここで、前記クラスタにおける複数のセルは、前記１つのＵＥを含む複数のＵＥデバイスのセットへデータを送信するために協調する、
前記基準信号に基づいてチャネル状態情報（ＣＳＩ）を決定することと、
前記クラスタにおける複数のセルへ、前記ＣＳＩを送信することと、
を備える方法。
【請求項２７】
前記複数の時間−周波数リソースは、前記クラスタを識別するクラスタ識別子（ＩＤ）に基づく、請求項２６に記載の方法。
【請求項２８】
前記ＣＳＩを決定することは、結合チャネルのチャネル品質をダイレクトに推定することを備え、
前記結合チャネルは、前記複数のセルと前記１つのＵＥとの間の複数のチャネルを備える、請求項２６に記載の方法。
【請求項２９】
前記ＣＳＩを決定することは、複数のチャネルのうちのおのおののチャネルのチャネル品質を、前記基準信号に基づいて独立して推定することを備え、
おのおののチャネルは、前記複数のセルのうちの１つのセルと前記１つのＵＥとの間のリンクを備える、請求項２６に記載の方法。
【請求項３０】
前記ＣＳＩを決定する前に、前記複数のセルのおのおのから受信した基準信号をデスクランブルすることをさらに備え、
前記クラスタにおける１つのセルから送信された基準信号に適用されるスクランブリング符号は、前記クラスタにおける別のセルから送信された別の基準信号に適用された別のスクランブリング符号とは異なる、請求項２６に記載の方法。
【請求項３１】
前記ＣＳＩを決定することは、複数のチャネルのうちのおのおののチャネルのチャネル品質を、前記デスクランブルされた基準信号に基づいて独立して推定することを備え、
おのおののチャネルは、前記複数のセルのうちの１つのセルと、前記１つのＵＥとの間のリンクを備える、請求項３０に記載の方法。
【請求項３２】
無線通信のための装置であって、
１または複数の共通の時間−周波数リソースにおいて、複数のセルのクラスタにおける複数のセルのおのおのから送信された基準信号を受信するように構成された受信機と、ここで、前記クラスタにおける複数のセルは、前記装置を含むユーザ機器（ＵＥ）デバイスのセットへデータを送信するために協調する、
前記基準信号に基づいてチャネル状態情報（ＣＳＩ）を決定するように構成された処理システムと、
前記クラスタにおける複数のセルへ前記ＣＳＩを送信するように構成された送信機と、
を備える装置。
【請求項３３】
前記複数の時間−周波数リソースは、前記クラスタを識別するクラスタ識別子（ＩＤ）に基づく、請求項３２に記載の装置。
【請求項３４】
前記処理システムは、結合チャネルのチャネル品質をダイレクトに推定することによって前記ＣＳＩを決定するように構成され、
前記結合チャネルは、前記複数のセルと前記装置との間の複数のチャネルを備える、請求項３２に記載の装置。
【請求項３５】
前記処理システムは、複数のチャネルのうちのおのおののチャネルのチャネル品質を、前記基準信号に基づいて独立して推定することによって前記ＣＳＩを決定するように構成され、
おのおののチャネルは、前記複数のセルのうちの１つのセルと、前記装置との間のリンクを備える、請求項３２に記載の装置。
【請求項３６】
前記処理システムは、前記ＣＳＩを決定する前に、前記複数のセルのおのおのから受信した基準信号をデスクランブルするように構成され、
前記クラスタにおける１つのセルから送信された基準信号に適用されるスクランブリング符号は、前記クラスタにおける別のセルから送信された別の基準信号に適用された別のスクランブリング符号とは異なる、請求項３２に記載の装置。
【請求項３７】
前記処理システムは、複数のチャネルのうちのおのおののチャネルのチャネル品質を、前記デスクランブルされた基準信号に基づいて独立して推定することによって前記ＣＳＩを決定するように構成され、
おのおののチャネルは、前記複数のセルのうちの１つのセルと、前記装置との間のリンクを備える、請求項３６に記載の装置。
【請求項３８】
無線通信のための装置であって、
１または複数の共通の時間−周波数リソースにおいて、複数のセルのクラスタにおける複数のセルのおのおのから送信された基準信号を受信する手段と、ここで、前記クラスタにおける複数のセルは、前記装置を含むユーザ機器（ＵＥ）デバイスのセットへデータを送信するために協調する、
前記基準信号に基づいてチャネル状態情報（ＣＳＩ）を決定する手段と、
前記クラスタにおける複数のセルへ、前記ＣＳＩを送信する手段と、
を備える装置。
【請求項３９】
前記複数の時間−周波数リソースは、前記クラスタを識別するクラスタ識別子（ＩＤ）に基づく、請求項３８に記載の装置。
【請求項４０】
前記ＣＳＩを決定する手段は、結合チャネルのチャネル品質をダイレクトに推定するように構成され、
前記結合チャネルは、前記複数のセルと前記装置との間の複数のチャネルを備える、請求項３８に記載の装置。
【請求項４１】
前記ＣＳＩを決定する手段は、複数のチャネルのうちのおのおののチャネルのチャネル品質を、前記基準信号に基づいて独立して推定するように構成され、
おのおののチャネルは、前記複数のセルのうちの１つのセルと、前記装置との間のリンクを備える、請求項３８に記載の装置。
【請求項４２】
前記ＣＳＩを決定する前に、前記複数のセルのおのおのから受信した基準信号をデスクランブルする手段をさらに備え、
前記クラスタにおける１つのセルから送信された基準信号に適用されるスクランブリング符号は、前記クラスタにおける別のセルから送信された別の基準信号に適用された別のスクランブリング符号とは異なる、請求項３８に記載の装置。
【請求項４３】
前記ＣＳＩを決定する手段は、複数のチャネルのうちのおのおののチャネルのチャネル品質を、前記デスクランブルされた基準信号に基づいて独立して推定するように構成され、
おのおののチャネルは、前記複数のセルのうちの１つのセルと、前記装置との間のリンクを備える、請求項３８に記載の装置。
【請求項４４】
無線通信のためのコンピュータ・プログラム製品であって、
１または複数の共通の時間−周波数リソースにおいて、複数のセルのクラスタにおける複数のセルのおのおのから送信された基準信号を、１つのユーザ機器（ＵＥ）において受信し、ここで、前記クラスタにおける複数のセルは、前記１つのＵＥを含む複数のＵＥデバイスのセットへデータを送信するために協調する、
前記基準信号に基づいてチャネル状態情報（ＣＳＩ）を決定し、
前記クラスタにおける複数のセルへ前記ＣＳＩを送信する、
ように実行可能な命令群を備えるコンピュータ読取可能な媒体を備える、コンピュータ・プログラム製品。
【請求項４５】
前記複数の時間−周波数リソースは、前記クラスタを識別するクラスタ識別子（ＩＤ）に基づく、請求項４４に記載のコンピュータ・プログラム製品。
【請求項４６】
前記ＣＳＩを決定することは、結合チャネルのチャネル品質をダイレクトに推定することを備え、
前記結合チャネルは、前記複数のセルと前記１つのＵＥとの間の複数のチャネルを備える、請求項４４に記載のコンピュータ・プログラム製品。
【請求項４７】
前記ＣＳＩを決定することは、複数のチャネルのうちのおのおののチャネルのチャネル品質を、前記基準信号に基づいて独立して推定することを備え、
おのおののチャネルは、前記複数のセルのうちの１つのセルと、前記１つのＵＥとの間のリンクを備える、請求項４４に記載のコンピュータ・プログラム製品。
【発明の詳細な説明】
【関連出願に対する相互参照】
【０００１】
本願は、２００９年１２月２３日に出願され「複数の送信ポイントを適用するＯＦＤＭベースの通信システムのためのクラスタ特有のチャネル状態情報基準信号」（Cluster Specific Channel State Information Reference Signals for OFDM Based Communication Systems Applying Multiple Transmission Points）と題された米国仮出願６１／２８９，８８５号の利益を主張する。この開示は、全体が参照によって本明細書に明確に組み込まれている。
【技術分野】
【０００２】
本開示のある態様は、一般に、無線通信に関し、さらに詳しくは、単一のユーザ機器（ＵＥ）デバイスと通信するために、複数の送信エンティティを用いる無線通信システムのための基準信号を生成することに関する。
【背景技術】
【０００３】
無線通信ネットワークは、例えば音声、ビデオ、パケット・データ、メッセージング、ブロードキャスト等のようなさまざまな通信サービスを提供するために広く開発された。これら無線ネットワークは、利用可能なネットワーク・リソースを共有することにより、複数のユーザをサポートすることができる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）シネットワーク、およびシングル・キャリアＦＤＭＡ（ＳＣ−ＦＤＭＡ）ネットワークを含む。
【０００４】
無線通信ネットワークは、多くのユーザ機器（ＵＥ）デバイスとの通信をサポートしうる多くの基地局を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。基地局は、データおよび制御情報をダウンリンクでＵＥへ送信しうるか、および／または、データおよび制御情報をアップリンクでＵＥから受信しうる。
【発明の概要】
【０００５】
本開示のある態様は、一般に、チャネル状態情報（ＣＳＩ）フィードバックのための基準信号（ＲＳ）を、特定のユーザ機器（ＵＥ）へ同じ時間リソースおよび周波数リソースで送信することにより、データからのＣＳＩフィードバック・スキームとの干渉を回避するようにした、（例えば、ネットワークＭＩＭＯ（複数入力／複数出力）とも称される、統合処理／送信（ＪＰ／Ｔ）協調マルチポイント（ＣｏＭＰ）のための）クラスタに属するすべてのセルに関する。
【０００６】
本開示のある態様は、無線通信のための方法を提供する。この方法は一般に、基準信号を送信するために、複数のセルのクラスタにおける複数のセルによって使用される１または複数の共通の時間−周波数リソースを、複数のセルのクラスタにおける１つのセルによって決定することと、ここで、クラスタにおける複数のセルは、ユーザ機器（ＵＥ）デバイスのセットへデータを送信するために協調する、共通の時間−周波数リソースにおいて１つのセルから基準信号を送信することと、を含む。
【０００７】
本開示のある態様は、無線通信のための装置を提供する。この装置は一般に、基準信号を送信するために、複数の装置のクラスタにおける複数の装置によって使用される１または複数の共通の時間−周波数リソースを、複数の装置のクラスタにおける１つの装置によって決定するように構成された処理システムと、ここで、クラスタにおける複数の装置は、ユーザ機器（ＵＥ）デバイスのセットへデータを送信するために協調する、共通の時間−周波数リソースにおいて基準信号を送信するように構成された送信機と、を含む。
【０００８】
本開示のある態様は、無線通信のための装置を提供する。この装置は、一般に、基準信号を送信するために、複数の装置のクラスタにおける複数の装置によって使用される１または複数の共通の時間−周波数リソースを、複数の装置のクラスタにおける１つの装置によって決定する手段と、ここで、クラスタにおける複数の装置は、ＵＥデバイスのセットへデータを送信するために協調する、共通の時間−周波数リソースにおいて基準信号を送信する手段と、を含む。
【０００９】
本開示のある態様は、無線通信のためのコンピュータ・プログラム製品を提供する。このコンピュータ・プログラム製品は一般に、基準信号を送信するために、複数のセルのクラスタにおける複数のセルによって使用される１または複数の共通の時間−周波数リソースを、複数のセルのクラスタにおける１つのセルによって決定し、ここで、クラスタにおける複数のセルは、ＵＥデバイスのセットへデータを送信するために協調する、共通の時間−周波数リソースにおいて１つのセルから基準信号を送信する、ように実行可能な命令群を有するコンピュータ読取可能な媒体を含む。
【００１０】
本開示のある態様は、無線通信のための方法を提供する。この方法は一般に、１または複数の共通の時間−周波数リソースにおいて、クラスタにおける複数のセルのおのおのから送信された基準信号をＵＥにおいて受信することと、ここで、クラスタにおける複数のセルは、ＵＥを含むＵＥデバイスのセットへデータを送信するために協調する、基準信号に基づいてチャネル状態情報（ＣＳＩ）を決定することと、クラスタ内の複数のセルへＣＳＩを送信することと、を含む。
【００１１】
本開示のある態様は、無線通信のための装置を提供する。この装置は、一般に、１または複数の共通の時間−周波数リソースにおいて、クラスタにおける複数のセルのおのおのから送信された基準信号を受信するように構成された受信機と、ここで、クラスタにおける複数のセルは、装置を含むＵＥデバイスのセットへデータを送信するために協調する、基準信号に基づいてＣＳＩを決定するように構成された処理システムと、クラスタにおける複数のセルへＣＳＩを送信するように構成された送信機と、を含む。
【００１２】
本開示のある態様は、無線通信のための装置を提供する。この装置は、一般に、１または複数の共通の時間−周波数リソースにおいて、クラスタにおける複数のセルのおのおのから送信された基準信号を受信する手段と、ここで、クラスタにおける複数のセルは、装置を含むＵＥデバイスのセットへデータを送信するために協調する、基準信号に基づいてＣＳＩを決定する手段と、クラスタ内の複数のセルへＣＳＩを送信する手段と、を含む。
【００１３】
本開示のある態様は、無線通信のためのコンピュータ・プログラム製品を提供する。このコンピュータ・プログラム製品は、一般に、１または複数の共通の時間−周波数リソースにおいて、クラスタにおける複数のセルのおのおのから送信された基準信号をＵＥにおいて受信し、ここで、クラスタにおける複数のセルは、ＵＥを含むＵＥデバイスのセットへデータを送信するために協調する、基準信号に基づいてＣＳＩを決定し、クラスタにおける複数のセルへＣＳＩを送信する、ように実行可能な命令群を有するコンピュータ読取可能な媒体を含む。
【図面の簡単な説明】
【００１４】
本開示の上述した特徴が、より詳細に理解される方式で、簡潔に要約された具体的な記載が、態様に対する参照によってなされている。そして、それらのいくつかは、添付図面で例示されている。しかしながら、この記載は、その他の等しく有効な態様に対しても当てはまるので、添付図面は、本開示のある典型的な態様のみを示しており、この範囲を限定するものとしては考慮されないことが注目されるべきである。
【図１】図１は、本開示のある態様にしたがう無線通信システムを例示する。
【図２】図２は、本開示のある態様にしたがうｅノードＢ（ｅＮＢ）およびユーザ機器（ＵＥ）のブロック図を例示する。
【図３】図３は、本開示のある態様にしたがって、クラスタ特有の基準信号（ＲＳ）をＵＥへ送信するマスタ・セルおよびスレーブ・セルのブロック図を例示する。
【図４】図４は、本開示のある態様にしたがって、異なるセル識別子（ＩＤ）を有する２つのセルのためのセル特有の基準信号（ＣＲＳ）を例示する。
【図５】図５は、本開示のある態様にしたがうクラスタ特有のチャネル状態情報基準信号（ＣＳＩ−ＲＳ）の例を例示する。
【図６】図６は、本開示のある態様にしたがって、クラスタにおける複数のセルに共通の時間−周波数リソースを用いてクラスタ特有のＣＳＩ−ＲＳを送信する、複数のセルのクラスタに属する１つのセルにおいて実行されうる動作の例を例示する。
【図６Ａ】図６Ａは、図６に例示された動作を実行することが可能な手段の例を例示する。
【図７】図７は、本開示のある態様にしたがって、複数のセルのクラスタに属するセルに共通の時間−周波数リソースを用いて送信され、受信されたクラスタ特有のＣＳＩ−ＲＳに基づいてＣＳＩを決定するために、ＵＥにおいて実行されうる動作の例を例示する。
【図７Ａ】図７Ａは、図７に例示された動作を実行することが可能な手段の例を例示する。
【発明を実施するための形態】
【００１５】
本開示のさまざまな態様は、添付図面を参照して以下により十分に記載される。しかしながら、本開示は、異なる多くの形態で具体化され、本開示を通じて示されたどの具体的な構成または機能にも限定されるものとは解釈されるべきではない。むしろ、これらの態様は、本開示が十分で完全であり、本開示の範囲を当業者に十分に伝達できるように提供される。本明細書における教示に基づいて、当業者は、本開示の範囲は、独立して実施されようが、あるいは、本開示の任意の他の態様と組み合わされようが、本明細書で示された開示の態様をカバーすることが意図されていることを認識すべきである。例えば、本明細書に記載された任意の数の態様を用いて装置が実施され、方法が実現されうる。さらに、本開示の範囲は、別の構成、機能、または、本明細書に記載された開示のさまざまな態様またはそれ以外の態様が追加された構成および機能を用いて実現される装置または方法をカバーすることが意図されている。本明細書で示された開示のあらゆる態様は、特許請求の範囲の１または複数の要素によって具体化されうる。
【００１６】
「典型的である」という単語は「例、事例、あるいは実例として役立つ」ことを意味するために本明細書で使用される。本明細書において「典型的」と記載されるいかなる態様も、他の態様よりも好適であるとか、有利であると必ずしも解釈される必要はない。
【００１７】
本明細書では、特定の態様が記載されているが、これら態様の多くの変形および置換が、本開示の範囲内にある。好適な態様のいくつかの利点および長所が述べられているが、本開示の範囲は、特定の利点、使用、および目的に限定されることは意図されていない。むしろ、本開示の態様は、このうちのいくつかが図面における例示によって、および、以下の好適な態様の記載によって例示されている異なる無線技術、システム構成、ネットワーク、および伝送プロトコルに広く適用可能であることが意図されている。詳細な記載および図面は、限定ではない開示の単なる例示であり、本開示の範囲は、特許請求の範囲およびその均等物によって定義される。
【００１８】
（典型的な無線通信システム）  
本明細書に記載された技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（ＷＣＤＭＡ）、およびＣＤＭＡのその他の変形を含んでいる。ｃｄｍａ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現する。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）およびＬＴＥ−アドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートシップ計画」（３ＧＰＰ）と命名された組織からの文書に記載されている。ｃｄｍａ２０００およびＵＭＢは、「第３世代パートナシップ計画プロジェクト２」（３ＧＰＰ２）と命名された組織からの文書に記載されている。本明細書で記載された技術は、他の無線ネットワークおよびラジオ技術と同様に、上述された無線ネットワークおよびラジオ技術のために使用されうる。明確にするために、これら技術のある態様は、以下において、ＬＴＥについて記載されており、ＬＴＥ用語が以下の説明の多くで使用される。
【００１９】
図１は、ＬＴＥネットワークでありうる無線通信ネットワーク１００を示す。無線ネットワーク１００は、多くのイボルブド・ノードＢ（ｅＮＢ）１０４およびその他のネットワーク・エンティティを含みうる。ｅＮＢは、ＵＥと通信する局であり、基地局、ｅノードＢ、アクセス・ポイント等とも称されうる。おのおののｅＮＢ１０４は、特定の地理的エリアのために通信有効範囲を提供する。３ＧＰＰでは、用語「セル」は、この用語が使用されるコンテキストに依存して、この有効通信範囲エリアにサービス提供しているｅＮＢおよび／またはｅＮＢサブシステムからなる有効通信範囲エリアを称しうる。
【００２０】
ネットワーク・コントローラ（図示せず）は、ｅＮＢのセットに接続しており、これらｅＮＢのための調整および制御を提供しうる。ネットワーク・コントローラは、バックホールを介してｅＮＢ１０４と通信しうる。ｅＮＢ１０４はまた、例えば、ダイレクトに、または、無線またはＸ２を用いる有線のバックホールを介して非ダイレクトに、互いに通信しうる。
【００２１】
無線ネットワーク１００の全体にわたって、多くのＵＥ１０６が分布しうる。そして、おのおののＵＥは、固定式または移動式でありうる。ＵＥは、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局等でありうる。いくつかの態様では、ＵＥは無線ノードである。このような無線ノードは、例えば、有線または無線による通信リンクによる（例えば、インターネットまたはセルラ・ネットワークのような広域ネットワークのような）ネットワークへの、または、ネットワークのための接続を提供しうる。図１では、２つの矢印を持つ実線が、ＵＥと、ダウンリンク（ＤＬ）１０８および／またはアップリンク（ＵＬ）１１０でＵＥにサービス提供するように指定されたｅＮＢであるサービス提供ｅＮＢとの間の所望の送信を示す。
【００２２】
ＬＴＥは、ダウンリンクで周波数分割多重（ＯＦＤＭ）を、アップリンクでシングル・キャリア周波数分割多重（ＳＣ−ＦＤＭ）を利用する。ＯＦＤＭおよびＳＣ−ＦＤＭは、システム帯域幅を、一般にトーン、ビン等とも称される複数（Ｋ個）の直交サブキャリアに分割する。おのおののサブキャリアは、データを用いて変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（Ｋ個）は、システム帯域幅に依存しうる。例えば、Ｋは、１．２５，２．５，５，１０，２０メガヘルツ（ＭＨｚ）のシステム帯域幅についてそれぞれ１２８，２５６，５１２，１０２４，２０４８にそれぞれ等しい。システム帯域幅はまた、サブ帯域へ分割されうる。例えば、サブ帯域は、１．０８ＭＨｚをカバーし、１．２５，２．５，５，１０，２０ＭＨｚのシステム帯域幅についてそれぞれ１，２，４，８，１６のサブ帯域が存在しうる。
【００２３】
アンテナ・グループが通信するように設計されているエリアおよび／またはアンテナのグループのおのおのはしばしば、ｅＮＢのセクタ１１２と称される。ある態様の場合、おのおののアンテナ・グループは、ｅＮＢ１０４によってカバーされるセル１０２のセクタ１１２内のアクセス端末へ通信するように設計される。
【００２４】
図２は、複数入力複数出力（ＭＩＭＯ）システム２００における（アクセス・ポイントまたは基地局としても知られている）典型的なｅＮＢ１０４と（移動局またはアクセス端末としても知られている）典型的なＵＥ１０６を示すブロック図である。ｅＮＢ１０４は、Ｔ個のアンテナ２２４ａ乃至２２４ｔを備え、ＵＥ１０６は、Ｒ個のアンテナ２５２ａ乃至２５２ｒを備えうる。ここで、一般に、Ｔ≧１およびＲ≧１である。
【００２５】
ｅＮＢ１０４では、送信（ＴＸ）データ・プロセッサ２１４が、データ・ソース２１２からデータを、コントローラ／プロセッサ２３０から制御情報を受信しうる。ＴＸデータ・プロセッサ２１４は、データおよび制御情報を処理（例えば、符号化およびシンボル・マップ）し、データ・シンボルおよび制御シンボルをそれぞれ取得する。ＴＸデータ・プロセッサ２１４はまた、基準信号（ＲＳ）を受信しうる。ＲＳは、ある態様の場合、コントローラ／プロセッサ２３０によって生成されうる。他の態様の場合、ＴＸデータ・プロセッサ２１４がＲＳを生成しうる。
【００２６】
本開示の１つの態様では、データ・ストリームはおのおのの、それぞれの送信アンテナを介して送信されうる。ＴＸデータ・プロセッサ２１４は、符号化されたデータを提供するために、データ・ストリームについて選択された特定の符号化スキームに基づいて、各データ・ストリームのためのトラフィック・データをフォーマットし、符号化し、インタリーブする。
【００２７】
おのおののデータ・ストリームの符号化されたデータは、ＯＦＤＭ技術を用いてＲＳと多重化されうる。ＲＳは一般に、既知の手法で処理される既知のデータ・パターンであり、チャネル応答を推定するためにＵＥ１０６において使用されうる。おのおののデータ・ストリームについて多重化されたＲＳおよび符号化されたデータは、その後、変調シンボルを提供するために、データ・ストリームについて選択された特定の変調スキーム（例えば、ＢＰＳＫ、ＱＳＰＫ，Ｍ−ＰＳＫ、またはＭ−ＱＡＭ）に基づいて変調（すなわち、シンボル・マップ）される。おのおののデータ・ストリームのデータ・レート、符号化、および変調は、コントローラ／プロセッサ２３０によって実行される命令群によって決定されうる。
【００２８】
すべてのデータ・ストリームの変調シンボルは、（例えば、ＯＦＤＭのために）変調シンボルをさらに処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。本開示のある態様では、ＴＸ  ＭＩＭＯプロセッサ２２０は、データ・ストリームのシンボル、および、そのシンボルが送信されるアンテナへ、ビームフォーミング重みを適用する。
【００２９】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、その後、ＮＴ個のアンテナ２２４ａ乃至２２４ｔからそれぞれ送信される。
【００３０】
ＵＥ１０６では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供されうる。受信機２５４はおのおの、それぞれの受信信号を調整（例えば、フィルタ、増幅、および、ダウンコンバート）し、調整された信号をデジタル化して、サンプルを得る。さらに、これらサンプルを処理して、対応する「受信」シンボル・ストリームを提供する。
【００３１】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ２６０は、その後、検出されたおのおののシンボル・ストリームを復調し、デインタリーブし、復号して、このデータ・ストリームのためのトラフィック・データ（および、ある態様では、ＲＳ）を復元し、復号された制御情報を、コントローラ／プロセッサ２７０へ提供する。ＲＸデータ・プロセッサ２６０によるこの処理は、ｅＮＢ１０４におけるＴＸ  ＭＩＭＯプロセッサ２２０およびＴＸデータ・プロセッサ２１４によって実行されたものに対して相補的である。コントローラ／プロセッサ２７０は、図２に示されるようなＣＳＩを決定しうる。
【００３２】
逆方向リンク・メッセージは、通信リンクに関するさまざまなタイプの情報（例えば、ＣＳＩ）、および／または、受信されたデータ・ストリームを備えうる。その後、逆方向リンク・メッセージは、ＴＸデータ・プロセッサ２３８によって処理され、変調器２８０によって変調され、送信機２５４ａ乃至２５４ｒによって調整され、ｅＮＢ１０４へ送り戻される。ＴＸデータ・プロセッサ２３８はまた、コントローラ／プロセッサ２７０からのＣＳＩに加えて、データ・ソース２３６から、多くのデータ・ストリームのトラフィック・データをも受信する。
【００３３】
ｅＮＢ１０４では、ＵＥ１０６からの変調信号が、アンテナ２２４によって受信され、受信機２２２によって調整され、復調器２４０によって復調され、ＲＸデータ・プロセッサ２４２によって処理されて、ＵＥ１０６によって送信された逆方向リンク・メッセージ（例えば、ＣＳＩを含む）が抽出される。
【００３４】
上述したように、コントローラ／プロセッサ２３０，２７０は、ｅＮＢ１０４およびＵＥ１０６それぞれにおける動作を指示しうる。ｅＮＢ１０４におけるコントローラ／プロセッサ２３０、ＴＸデータ・プロセッサ２１４、および／または、その他のプロセッサおよびモジュールもまた、図６における動作６００のうちの少なくともいくつか、および／または、本明細書に記載された技術のためのその他の処理の実行または指示を行いうる。ＵＥ１０６におけるコントローラ／プロセッサ２７０、ＲＸデータ・プロセッサ２６０、および／または、その他のプロセッサおよびモジュールもまた、図７における動作７００のうちの少なくともいくつか、および／または、本明細書に記載された技術のためのその他の処理の実行または指示を行いうる。メモリ２３２，２７２は、ｅＮＢ１０４およびＵＥ１０６それぞれのためのデータおよびプログラム・コードを格納しうる。スケジューラ（図示せず）は、ダウンリンクおよび／またはアップリンクでのデータ送信のためにＵＥをスケジュールしうる。
【００３５】
（典型的なクラスタ特有のＣＳＩ基準信号）  
ロング・ターム・イボリューション・アドバンスト（ＬＴＥ−Ａ）規格（ＬＴＥリリース１０（Ｒｅｌ−１０）規格としても知られている）は、ダウンリンク送信において、直交周波数分割多重（ＯＦＤＭ）技術および適応変調および符号化スキーム（ＭＣＳ）を指定している。瞬間的なチャネル条件にＭＣＳを適応させることを可能にするために、チャネル状態情報（ＣＳＩ）が、送信ポイント（すなわち、ｅＮＢ１０４）へフィード・バックされうる。ＣＳＩフィードバックを生成するために、帯域幅全体にわたるチャネル品質の推定が実行されうる。典型的には、セル特有の基準信号（ＣＲＳ）が、ＣＳＩフィードバックのために使用されうる。これは、ＬＴＥリリース８仕様における場合であり、ここでは、時間領域および周波数領域におけるＣＲＳの位置は、セル識別子（ＩＤ）にのみ依存する。
【００３６】
ＬＴＥリリース８（Ｒｅｌ−８）では、ＵＥ１０６はおのおの１つのｅＮＢ１０４のみに接続されるので、ＵＥ毎に１つのダウンリンク送信ポイントのみ存在する。ＬＴＥアドバンストによって、複数の送信ポイントから１つのＵＥへデータを送信すること（例えば、統合処理／送信協調マルチポイント（ＪＰ／Ｔ  ＣｏＭＰ）スキーム）が可能となりうる。複数の送信ポイントは、異なるサイトの協調セルを称するのみならず、同じサイトの別のセルをも称しうる。ＵＥのセットへデータを送信する、協調するセルのセットは、複数のセルのクラスタとして示されうる。
【００３７】
図３は、ＪＰ／Ｔ  ＣｏＭＰスキームのブロック図を例示する。ここでは、クラスタ内の２つの送信ポイント（ここでは、ｅＮＢ１０４ａおよびｅＮＢ１０４ｂ）が、同じデータを１つのＵＥ１０６ｘへ送信するために協調する。このＪＰ／Ｔ  ＣｏＭＰスキームはまた、図１にも例示されている。ここでは、図示されている７つのセルのうちの少なくとも２つが、同じクラスタの一部である。クラスタ内の送信ポイントのうちの１つは、マスタ・セル１０４ａ（または、マスタ・セクタ、プライマリ・セル、アンカ・セル等）として称されうる一方、その他の送信ポイントは、スレーブ・セル１０４ｂ（または、スレーブ・セクタ、協調セル、調整セル等）として考慮されうる。マスタ・セル内の中央スケジューラ３０２は、クラスタのリソースを管理しうる。マスタ・セル１０４ａは、Ｘ２インタフェースを利用しうるバックホール３０４を介して、スレーブ・セルへスケジューリング情報を配信しうる。
【００３８】
協調送信ポイントを用いるこのような送信スキームの場合、単一のＵＥが、複数のラジオ・チャネルのためのＣＳＩを推定してフィードバックする。しかしながら、ＬＴＥリリース８規格によって指定されたセル特有の基準信号（ＣＲＳ）の送信は、ＪＰ／Ｔ  ＣｏＭＰ送信に適切ではない。ＬＴＥリリース８によって指定されたＣＲＳが、ＪＰ／Ｔ ＣｏＭＰモードにおけるＣＳＩフィードバックのために適用されているのであれば、１つの送信リンクのＣＲＳは、図４に例示されるように、別のリンクにおけるデータ送信によって引き起こされた干渉をも被りうる。図４では、セル２からのデータ（Ｄ２）が、セル１からのＣＲＳ（Ｒ１）と干渉し、セル１からのデータ（Ｄ１）が、セル２からのＣＲＳ（Ｒ２）と干渉する。なぜなら、ＣＲＳの時間−周波数位置は、セル識別子（ＩＤ）に基づいて決定され、したがって、互いのセルで異なるからである。これによって、データ・シンボルを推定すること無しに高い信頼性で複数のチャネルを推定することはができなくなる。
【００３９】
したがって、本開示は、ＬＴＥリリース８規格によって指定されたセル特有の基準信号（ＣＲＳ）構造よりもより効率的な、ＪＰ／Ｔ  ＣｏＭＰスキームのためのＣＳＩフィードバックを提供する。
【００４０】
図４のセル特有の基準信号とは対照的に、図５は、本開示のある態様にしたがうクラスタ特有のチャネル状態情報（ＣＳＩ）基準信号（ＣＳＩ−ＲＳ）の例を例示する。所与のクラスタに属するすべてのセルは、クラスタ特有の基準信号を用いて、図５に例示されるように、周波数領域および時間領域における同じ位置において、チャネル状態情報フィードバックの基準信号（ＣＳＩ−ＲＳ）を送信し、これによって、ＣＳＩ−ＲＳとのデータ干渉を回避する。クラスタ内のＣＳＩ−ＲＳの位置は、もはやクラスタに属する複数のセルの個々のセル識別子（ＩＤ）には依存しないかもしれない。その代わり、本開示のある態様は、クラスタ識別子（ＩＤ）、または、クラスタをユニークにアドレスするその他任意の基準にしたがって、ＣＳＩ−ＲＳの位置を決定しうる。このように、本明細書で開示されたＣＳＩ−ＲＳは、セル特有ではなくクラスタ特有でありうる。
【００４１】
「クラスタ特有のＣＳＩ−ＲＳ」という用語は、異なるクラスタが、異なるＣＳＩ−ＲＳを適用しうることを示唆する。言い換えれば、異なるクラスタのクラスタ特有のＣＳＩ−ＲＳは、周波数および／または時間における異なる位置において送信されうる。（例えば、異なるクラスタＩＤを指定する際における制限によって、）異なるクラスタが、クラスタ特有の同じＣＳＩ−ＲＳを適用する場合、これらのクラスタは、好適には、クラスタ間の干渉を避けるために、十分な地理的距離によって離されうる。
【００４２】
２つのタイプのクラスタ特有のＣＳＩ−ＲＳ、すなわち、（１）同一のクラスタ特有のＣＳＩ−ＲＳと、（２）同一ではないクラスタ特有のＣＳＩ−ＲＳとが使用されうる。同一のクラスタ特有のＣＳＩ−ＲＳの場合、固定された時間−周波数位置において送信されたＲＳのシンボルは、特定のクラスタに属するすべてのセルについて同一でありうる。同一のクラスタ特有のＣＳＩ−ＲＳによって、ＵＥ１０６は、すべての送信ポイントとＵＥとの間の結合チャネルを、オーバ・ザ・エア（ＯＴＡ）を介してダイレクトに推定できるようになりうる。
【００４３】
同一ではないクラスタ特有のＣＳＩ−ＲＳの場合、クラスタのうちの異なるセルから送信されたＣＳＩ−ＲＳが、（準）直交しうる。周波数および／または時間における平均期間にわたる（準）直交性を達成するために、オーバ・ザ・エアによる送信前に、クラスタ特有のスクランブリング符号が、クラスタ特有のＣＳＩ−ＲＳへ適用されうる。同一ではないクラスタ特有のＣＳＩ−ＲＳによって、統合チャネル推定またはＲＳ干渉除去を適用することが可能となりうる。
【００４４】
さらに、クラスタが経時的に変化すると（すなわち、クラスタ内のメンバシップが変化すると）、クラスタ特有のＣＳＩ−ＲＳが再設定されうる。新たなセルがクラスタに加えられた場合、これら新たなセルも同様に、クラスタ特有のＣＳＩ−ＲＳを適用しうる。
【００４５】
図６は、クラスタ内の複数のセルに共通の時間−周波数リソースを用いてクラスタ特有のＣＳＩ−ＲＳを送信する、複数のセルのクラスタに属する１つのセル（例えばｅＮＢ１０４）で実行されうる動作６００の例を例示する。６０２では、クラスタにおけるセルは、基準信号を送信するために、クラスタにおける複数のセルによって使用される１または複数の共通の時間−周波数リソース（例えば、リソース要素（ＲＥ））を決定しうる。クラスタにおける複数のセルは、ＵＥデバイスのセットへデータを送信するために協調しうる。６０４では、基準信号（例えば、クラスタ特有のＣＳＩ−ＲＳ）が、共通の時間−周波数リソースで、セルから送信されうる。
【００４６】
ある態様の場合、クラスタにおける複数のセルは、基準信号を送信する前に、基準信号に、セル特有のスクランブリング符号を適用しうる。このようなスクランブリング符号の適用は、スクランブラ３０６によって基準信号へ適用されうる。スクランブラ３０６は、（図３に図示するような）ＴＸデータ・プロセッサ２１４またはその他の適切なプロセッサの一部でありうる。または、スクランブラは、図２に示されたプロセッサのうちの何れとも分離された専用のプロセッサでありうる。
【００４７】
ある態様の場合、セル（例えば，ｅＮＢ１０４ｂ）は、クラスタの時間−周波数リソースを管理するために、スケジューラ（例えば、中央スケジューラ３０２）を有するクラスタ内の別のセル（例えば、マスタ・セル１０４ａ）から、基準信号を送信するために使用する時間−周波数リソースを示すインジケーションを受信しうる。時間−周波数リソースを示すこのインジケーションは、クラスタにおける複数のセル間でバックホール３０４を介して受信されうる。ある態様の場合、コントローラ／プロセッサ２３０および／またはＴＸデータ・プロセッサ２１４が、時間−周波数リソースを示すインジケーションを受信しうる。
【００４８】
その他の態様の場合、クラスタにおけるセルは、クラスタにおけるすべてのセルのために時間−周波数リソースを選択しうる。そして、時間−周波数リソースを示すインジケーションを、クラスタにおける別のセルへ送信しうる。言い換えれば、セルは、マスタ・セル１０４ａでありうる。そして、クラスタの時間−周波数リソースを管理するためのスケジューラ（例えば、中央スケジューラ３０２）を備えうる。時間周波数リソースを示すインジケーションは、例えばＸ２インタフェースを用いて、クラスタにおける複数のセル間で、バックホール３０４を介して送信されうる。ある態様の場合、中央スケジューラ３０２またはコントローラ／プロセッサ２３０が、時間−周波数リソースを示すインジケーションを送信しうる。
【００４９】
図７は、例えば、複数のセルのクラスタに属する複数のセル間で共通の時間−周波数リソースを用いて送信され、受信されたクラスタ特有のＣＳＩ−ＲＳに基づいて、チャネル状態情報（ＣＳＩ）を決定するために、ＵＥにおいて実行されうる動作７００の例を例示する。７０２では、ＵＥが、１または複数の共通の時間−周波数リソース（例えば、ＲＥ）において、クラスタにおける複数のセルのおのおのから送信された基準信号（例えば、クラスタ特有のＣＳＩ−ＲＳ）を受信しうる。７０４では、ＵＥが、基準信号に基づいてＣＳＩを決定しうる。７０６では、ＵＥが、クラスタにおける複数のセルへＣＳＩを送信しうる。
【００５０】
ある態様の場合、ＣＳＩを決定することは、結合チャネルのチャネル品質をダイレクトに推定することを備えうる。結合チャネルは、複数のセルからの複数のチャネル（例えば、ｅＮＢ１０４ａ、ｅＮＢ１０４ｂ、およびＵＥ１０８ｘの間のチャネルの結合）を備える。他の態様の場合、ＣＳＩを決定することは、複数のチャネルのうちのおのおののチャネルのチャネル品質を、基準信号に基づいて独立して推定することを備えうる（例えば、ｅＮＢ１０４ａとＵＥ１０６ｘとの間の第１のリンクのために、および、ｅＮＢ１０４ｂとＵＥ１０６ｘとの間の第２のリンクのために、個別にチャネル品質を推定する）。おのおののチャネルは、ＵＥと、複数のセルのうちのセルとの間のリンクを備えうる。チャネル品質推定（単数または複数）は、チャネル推定部（ＣＥ）３０８によって実行されうる。ＣＥ３０８は、ＲＸデータ・プロセッサ２６０またはコントローラ／プロセッサ２７０の一部でありうる。または、ＣＥ３０８は、専用のスタンド・アロン・プロセッサでありうる。
【００５１】
ある態様の場合、ＵＥは、ＣＳＩを決定する前に、複数のセルのおのおのから受信した基準信号をデスクランブルしうる。クラスタにおける１つのセルから送信された基準信号に適用されるスクランブリング符号は、クラスタにおける別のセルから送信された別の基準信号に適用された別のスクランブリング符号とは異なりうる。このデスクランブリングは、デスクランブラ３１０によって実行されうる。デスクランブラ３１０は、ＲＸデータ・プロセッサ２６０またはコントローラ／プロセッサ２７０の一部でありうる。または、デスクランブラ３１０は、専用のスタンド・アロン・プロセッサでありうる。
【００５２】
共通の時間−周波数位置において、クラスタ特有のＣＳＩ−ＲＳを送信することに、いくつかの利点がある。まず、クラスタにおける他の複数のセルからのデータによって引き起こされる、ＣＳＩ−ＲＳにおける干渉が無いかもしれない。この結果、チャネルを確実に推定するためにデータ・シンボルを確認する必要は無くなる。したがって、ＣＳＩフィードバック・エンティティ（例えばＣＥ３０８）およびデータ復調エンティティ（例えば、データ復調器３１２）は、受信側において互いに独立して実行しうる。これは、ＣＳＩフィードバック遅れを低減する。
【００５３】
同一のクラスタ特有のＣＳＩ−ＲＳがすべての送信ポイントにおいて適用されると、非コヒーレントなＪＰ／Ｔ  ＣｏＭＰの場合、オーバ・ザ・エア（ＯＴＡ）結合チャネルのインパルス応答がダイレクトに推定されうる。これは、ＣＳＩフィードバックに関するロスを低減しうる。なぜなら、結合チャネルのＣＳＩがダイレクトに推定されうるからである。この場合、クラスタの複数の協調セルから送信されたデータは、同じでありうることが注目されるべきである。
【００５４】
同一ではないクラスタ特有のＣＳＩ−ＲＳの場合、ＵＥは、１つの送信ポイントとＵＥとの間のおのおののリンクを個別に推定することが可能となり、リンク特有のＣＳＩフィードバックを可能とする。ＲＳ干渉除去またはその他任意の高度な受信機技術（例えば、統合検出）が、コヒーレントなＪＰ／Ｔ  ＣｏＭＰの場合に適用されうる。なぜなら、クラスタ特有の基準信号によって、データ対ＲＳ干渉が回避されうるからである。
【００５５】
ＲＳにおけるデータによって引き起こされた干渉を回避するための別のアプローチは、データ・ヌルイング（data nulling）でありうる。１つのセルからのデータは、データ・ヌルイングを用いて、別のセルのＲＳリソース要素で送信されないことがある。データ・ヌルイングと比較して、本明細書で開示されたクラスタ特有のＣＳＩ−ＲＳアプローチは、ピーク・データ・レートのロスがないかもしれない。なぜなら、ＲＳの送信のために利用されていないすべてのリソース要素が、データ送信のために利用可能でありうるからである。どの非ＲＳリソース要素も（このような要素は、データ・ヌルイングのためであるので）、データ送信のためにアイドルであり続けるべきではない。なぜなら、データ対ＲＳ干渉は、クラスタ特有のＣＳＩ−ＲＳを用いることによって回避されうるからである。
【００５６】
上述した方法のさまざまな動作は、対応する機能を実行することが可能な任意の適切な手段によって実行されうる。これら手段は、限定される訳ではないが、回路、特定用途向け集積回路（ＡＳＩＣ）、またはプロセッサを含むさまざまなハードウェア構成要素および／またはソフトウェア構成要素および／またはモジュールを含みうる。一般に、図面に例示された動作が存在する場合、これら動作は、同じ符番を付された対応するｍｅａｎｓ−ｐｕｌｓ−ｆｕｃｔｉｏｎ構成要素を有しうる。例えば、図６，７に例示される動作６００，７００は、図６Ａ，７Ａそれぞれに例示された構成要素６００Ａ，７００Ａに対応する。
【００５７】
例えば、送信する手段は、例えば、図２に例示されたようなｅＮＢ１０４の送信機ユニット２２２、または、図２に図示されたＵＥ１０６の送信機ユニット２５４のような送信機を備えうる。受信する手段は、例えば、図２に例示されたようなｅＮＢ１０４の受信機ユニット２２２、または、図２に図示されたＵＥ１０６の受信機ユニット２５４のような受信機を備えうる。決定する手段または処理する手段は、処理システムを備えうる。これは、例えば、図２に例示されるようなｅＮＢ１０４のＴＸデータ・プロセッサ２１４および／またはコントローラ／プロセッサ２３０、または、ＵＥ１０６のＲＸデータ・プロセッサ２６０および／またはコントローラ／プロセッサ２７０のような１または複数のプロセッサを含みうる。ＣＳＩを決定する手段は、上述した処理する手段および／またはＣＥ３０８のうちの何れかを備えうる。スクランブルする手段は、上述した処理する手段および／またはスクランブラ３０６のうちの何れかを備えうる一方、デクスクランブルする手段は、処理する手段および／またはデスクランブラ３１０のうちの何れかを備えうる。スケジュールする手段は、上述した処理する手段および／または、例えば中央スケジューラ３０２のようなスケジューラのうちの何れかを備えうる。
【００５８】
本明細書で使用される場合、用語「判定」は、さまざまな動作を含む。例えば、「判定」は、計算、コンピューティング、処理、導出、調査、ルックアップ（例えば、テーブル、データベース、または他のデータ構造内のルックアップ）、確認等を含みうる。また、「判定」は、受信（例えば、情報の受信）、アクセス（例えば、メモリ内のデータへのアクセス）等を含みうる。また、「判定」は、解決、選択、選定、確立等を含みうる。
【００５９】
本明細書に記載されるように、アイテムのリストのうちの「少なくとも１つ」と称する文言は、単数を含むこれらアイテムのうちの任意の組み合わせを称する。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることが意図されている。
【００６０】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールド・プログラマブル・ゲートアレイ（ＦＰＧＡ）もしくはその他のプログラマブル論理デバイス（ＰＬＤ）、ディスクリート・ゲートもしくはトランジスタ・ロジック、ディスクリート・ハードウェア構成要素、または本明細書で説明される機能を実行するように設計されたその任意の組み合わせを用いて実施または実現されうる。汎用プロセッサは、マイクロプロセッサでありうるが、代替案では、プロセッサは、任意の市販のプロセッサ、コントローラ、マイクロコントローラ、または順序回路でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００６１】
本開示に関連して説明された方法またはアルゴリズムのステップは、ハードウェアでダイレクトに、プロセッサによって実行されるソフトウェア・モジュールによって、またはこの２つの組み合せによって実現されうる。ソフトウェア・モジュールは、当該技術分野において周知のすべての形式の記憶媒体に常駐しうる。使用されうる記憶媒体のいくつかの例は、ランダム・アクセス・メモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または複数の命令を備えることができ、複数の異なるコード・セグメント上で、異なるプログラムの間で、および複数の記憶媒体にわたって分散されうる。記憶媒体は、プロセッサが記憶媒体から情報を読み取り、記憶媒体に情報を書き込めるように、プロセッサに結合されうる。あるいは、記憶媒体は、プロセッサに統合されうる。
【００６２】
本明細書で開示された方法は、説明された方法を達成するための１または複数のステップまたは動作を備える。方法ステップおよび／または動作は、特許請求の範囲のスコープから逸脱せずに相互に置換されうる。言い換えると、ステップまたは動作の特定の順序が指定されていない限り、特定のステップおよび／または動作の順序および／または使用は、特許請求の範囲のスコープから逸脱せずに変更されうる。
【００６３】
記載された機能は、ハードウェア、ソフトウェア、ファームウェア、またはこれら任意の組み合わせによって実現されうる。ハードウェアで実現される場合、ハードウェア構成の例は、無線ノード内の処理システムを備えうる。処理システムは、バス・アーキテクチャを用いて実現されうる。バスは、全体的な設計制約および処理システムの特定の用途に依存して、任意の数の相互接続バスおよびブリッジを含みうる。バスは、プロセッサ、機械読取可能な媒体、およびバス・インタフェースを含む回路をともにリンクしうる。バス・インタフェースは、とりわけ、ネットワーク・アダプタを、バスを介して、処理システムへ接続するために使用されうる。ネットワーク・アダプタは、物理レイヤの信号処理機能を実現するために使用されうる。アクセス端末１１０（図１を参照）の場合には、ユーザ・インタフェース（例えば、キーパッド、ディスプレイ、マウス、ジョイスティック等）も、バスに接続されうる。バスはさらに、例えば、タイミング・ソース、周辺機器、電圧制御装置、および電力管理回路等のようなその他さまざまな回路をリンクしうる。これらは、当該技術分野で良く知られているので、さらなる説明はしない。
【００６４】
プロセッサは、バスの管理、および、機械読取可能な媒体に格納されたソフトウェアの実行を含む一般的な処理を担当する。プロセッサは、１または複数の汎用プロセッサおよび／または特別目的プロセッサを用いて実現されうる。例は、マイクロプロセッサ、マイクロコントローラ、ＤＳＰプロセッサ、および、ソフトウェアを実行することができるその他の回路、を含みうる。ソフトウェアは、ソフトウェア、ファームウェア、ミドルウェア、マクロコード、ハードウェア記述言語、あるいはその他で称されようとも、命令群、データ、あるいは、これらの任意の組み合わせを意味するように広く解釈されるものとする。機械読取可能な媒体は、例によれば、ＲＡＭ（ランダム・アクセス・メモリ）、フラッシュ・メモリ、ＲＯＭ（リード・オンリー・メモリ）、ＰＲＯＭ（プログラマブル・リード・オンリー・メモリ）、ＥＰＲＯＭ（消去可能プログラマブル・リード・オンリー・メモリ）、ＥＥＰＲＯＭ（電気的消去可能プログラマブル・リード・オンリー・メモリ）、レジスタ、磁気ディスク、光ディスク、ハード・ドライブ、またはその他任意の適切な記憶媒体、あるいはこれら任意の組み合わせを含みうる。機械読取可能な媒体は、コンピュータ・プログラム製品内に組み込まれうる。コンピュータ・プログラム製品は、パッケージング・マテリアルを備えうる。
【００６５】
ハードウェアによる実施では、機械読取可能な媒体は、プロセッサとは別の処理システムの一部でありうる。しかしながら、当業者であれば容易に理解するであろうが、機械読取可能な媒体またはその任意の部分は、処理システムの外部にありうる。例によれば、機械読取可能な媒体は、伝送路、データによって変調されたキャリア波、および／または、無線ノードから分離したコンピュータ製品を含みうる。これらすべては、バス・インタフェースを介してプロセッサによってアクセスされうる。あるいは、または、それに加えて、機械読取可能な媒体またはこれら任意の部分は、キャッシュおよび／または汎用レジスタ・ファイルによくあるように、プロセッサへ統合されうる。
【００６６】
処理システムは、プロセッサ機能を提供する１または複数のマイクロプロセッサと、機械読取可能な媒体のうちの少なくとも一部を提供する外部メモリとを備える汎用処理システムとして構成されうる。これらはすべて、外部バス・アーキテクチャを介して他の支援回路にリンクされている。あるいは、処理システムは、プロセッサを備えたＡＳＩＣ（特定用途向け集積回路）、バス・インタフェース、アクセス端末の場合、ユーザ・インタフェース、支援回路、および、単一のチップへ統合された、あるいは、１または複数のＦＰＧＡ（フィールド・プログラマブル・ゲート・アレイ）を備えた、機械読取可能な媒体の少なくとも一部、ＰＬＤ（プログラマブル論理デバイス）、コントローラ、順序回路、ゲート・ロジック、ディスクリート・ハードウェア構成要素、その他任意の適切な回路、または、本開示にわたって記載されたさまざまな機能を実行しうる回路の任意の組み合わせ、を用いて実現されうる。当業者であれば、システム全体に課せられる全体的な設計制約および特定のアプリケーションに依存して、処理システムのために、記載された機能をどうやって最良に実施するかを認識するだろう。
【００６７】
機械読取可能な媒体は、多くのソフトウェア・モジュールを備えうる。ソフトウェア・モジュールは、プロセッサによって実行された場合、処理システムに対して、さまざまな機能を実行させるための命令群を含む。ソフトウェア・モジュールは、送信モジュールおよび受信モジュールを含みうる。ソフトウェア・モジュールはそれぞれ、単一のストレージ・デバイス内に存在するか、または、複数のストレージ・デバイスにわたって分散されうる。例によれば、ソフトウェア・モジュールは、トリガ・イベントが生じると、ハード・ドライブからＲＡＭへロードされうる。ソフトウェア・モジュールの実行中、プロセッサは、アクセス速度を増加させるために、命令のうちのいくつかをキャッシュにロードしうる。その後、プロセッサによる実行のために、１または複数のキャッシュ・ラインが、汎用レジスタ・ファイルへロードされうる。以下に示すソフトウェア・モジュールの機能を参照する場合、このような機能は、このソフトウェア・モジュールからの命令群を実行するときに、プロセッサによって実施されることが理解されるだろう。
【００６８】
ソフトウェアで実施される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ・プログラムを１つの場所から別の場所へ転送することを容易にする任意の媒体を含む通信媒体とコンピュータ記憶媒体との両方を含んでいる。記憶媒体は、コンピュータによってアクセスされる利用可能な任意の媒体でありうる。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能な媒体と適切に称される。同軸ケーブル、光ファイバ・ケーブル、ツイスト・ペア、デジタル加入者線（ＤＳＬ）、あるいは、例えば赤外線（ＩＲ）、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるようなディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、ディジタル多用途ディスク（ｄｉｓｃ）（ＤＶＤ）、フロッピー（登録商標）ディスク（ｄｉｓｋ）、およびＢｌｕ−ｒａｙ（登録商標）ディスク（ｄｉｓｃ）を含んでいる。ここで、ｄｉｓｋは通常、データを磁気的に再生する一方、ｄｉｓｃは、レーザを用いてデータを光学的に再生する。したがって、いくつかの態様では、コンピュータ読取可能な媒体は、非一時的なコンピュータ読取可能な媒体（例えば、具体的な媒体）を備えうる。さらに、別の態様の場合、コンピュータ読取可能な媒体は、一時的なコンピュータ読取可能な媒体（例えば、信号）を備えうる。上記の組み合わせもまた、コンピュータ読取可能な媒体の範囲内に含まれるべきである。
【００６９】
したがって、ある態様は、本明細書に記載された動作を実行するためのコンピュータ・プログラム製品を備えうる。例えば、このようなコンピュータ・プログラム製品は、格納された（および／またはエンコードされた）命令群を有するコンピュータ読取可能な媒体を備える。これら命令群は、本明細書において記載された動作を実行するために、１または複数のプロセッサによって実行されることが可能である。ある態様の場合、コンピュータ・プログラム製品は、パッケージング・マテリアルを含みうる。
【００７０】
さらに、本明細書で説明された方法および技法を実行するためのモジュールおよび／または他の適切な手段を、適宜、ユーザ端末および／または基地局によってダウンロードし、かつ／または他の形式で入手することができることを了解されたい。例えば、そのようなデバイスを、本明細書で説明した方法を実行するための手段の転送を容易にするためにサーバに結合することができる。代替案では、本明細書で説明されるさまざまな方法を、記憶手段（例えば、ＲＡＭ、ＲＯＭ、コンパクト・ディスク（ＣＤ）またはフロッピー・ディスクなどの物理記憶媒体など）を介して提供することができ、ユーザ端末および／または基地局が、記憶手段をデバイスに結合するか提供するときにさまざまな方法を入手することができる。さらに、本明細書で説明された方法および技法をデバイスに提供するために、その他任意の適切な技法を利用することができる。
【００７１】
特許請求の範囲は、前述した正確な構成および構成要素に限定されないことを理解されたい。さまざまな修正、変更、および変形を、特許請求の範囲の範囲から逸脱せずに、前述した方法および装置の構成、動作、および詳細において実施することができる。
【図１】
2013516115.tif 000003
【図２】
2013516115.tif 000004
【図３】
2013516115.tif 000005
【図４】
2013516115.tif 000006
【図５】
2013516115.tif 000007
【図６】
2013516115.tif 000008
【図６Ａ】
2013516115.tif 000009
【図７】
2013516115.tif 000010
【図７Ａ】
2013516115.tif 000011
【国際調査報告】
2013516115.tif 000012
2013516115.tif 000013
2013516115.tif 000014